(57)【特許請求の範囲】
【請求項１】
ハブ局を中心として、他の２つ以上の無線端末から構築されたスター型のトポロジーを持つ無線バスにおいて、
複数の無線端末の間でデータ通信を行うために、ハブ局に対して他の無線端末からの受信状態を報告する動作状態報告パケットに、非同期パケット送信状態と、非同期パケット送信先端末とを示すフィールドを設け、
無線端末は、動作状態報告パケットにより非同期パケットの送信要求を、ハブ局に通知することを特徴とする非同期伝送方法。
【請求項２】
前記請求項１に記載の非同期伝送方法において、
ハブ局は、前記通知された非同期パケット送信状態と非同期パケット送信先端末とから、トランザクションラベルの割り当てを行うことを特徴とする非同期伝送方法。
【請求項３】
前記請求項２に記載の非同期伝送方法において、
ハブ局は、ポーリングにより無線端末に非同期パケットの送信権を与えるとき、ポーリングパケット内で前記トランザクションラベルを、非同期パケットの送信元端末に通知することを特徴とする非同期伝送方法。
【請求項４】
前記請求項１に記載の非同期伝送方法において、
ハブ局は、ポーリングにより無線端末に非同期パケットの送信権を与えるとき、前記動作状態報告パケットにて報告された受信状態情報と、非同期パケット送信状態と、非同期パケット送信先端末とから、非同期送信パケットの送信元端末と送信先端末との間で最適な変調方式・符号化率を決定し、ポーリングパケット内で非同期送信パケットの送信元端末及び送信先端末に通知することを特徴とする非同期伝送方法。
【請求項５】
前記請求項１に記載の非同期伝送方法において、
ハブ局は、ポーリングにより無線端末に非同期パケットの送信権を与えるとき、前記動作状態報告パケットにて報告された受信状態情報と、非同期パケット送信状態と、非同期パケット送信先端末とから、非同期送信パケットの送信元端末と送信先端末との間で中継が必要か否かの判断を行い、ポーリングパケット内で非同期送信パケットの送信元端末に通知することを特徴とする非同期伝送方法。
【請求項６】
前記請求項３乃至５のいずれか一つに記載の非同期伝送方法において、
ハブ局からのポーリングにより非同期パケットの送信権が得られた無線端末は、前記ポーリングパケット内で通知された情報に基づいて、非同期パケットの送信を行うことを特徴とする非同期伝送方法。
【請求項７】
前記請求項６に記載の非同期伝送方法において、
ハブ局からのポーリングにより非同期パケットの送信先端末に指定された無線端末は、前記非同期パケットの受信を行うことを特徴とする非同期伝送方法。
【請求項８】
前記請求項１乃至７のいずれか一つに記載の非同期伝送方法において、
前記動作状態報告パケットに、さらに非同期パケット送信終了状態と、非同期パケット送信終了先端末と、使用したトランザクションラベルとを示すフィールドを設け、
無線端末は、動作状態報告パケットにより非同期パケットの送信終了を、ハブ局に通知することを特徴とする非同期伝送方法。
【請求項９】
前記請求項８に記載の非同期伝送方法において、
ハブ局は、前記通知された非同期パケット送信終了状態と非同期パケット送信終了先端末とトランザクションラベルとに基づいて、トランザクションラベルの開放を行うことを特徴とする非同期伝送方法。
【請求項１０】
前記請求項１に記載の非同期伝送方法において、
ハブ局は、ポーリングにより無線端末に非同期パケットの送信権を与えるとともに、前記動作状態報告パケットにて報告された非同期パケット送信状態から、ポーリングの優先順序を決定し、その優先順序に従ってポーリングパケットの送信を行うことを特徴とする非同期伝送方法。
【請求項１１】
前記請求項１０に記載の非同期伝送方法において、
前記非同期パケット送信状態として、非同期パケットと確認信号（ＡＣＫ）の種別を持つことを特徴とする非同期伝送方法。
【請求項１２】
前記請求項１０又は１１に記載の非同期伝送方法において、
前記非同期パケット送信状態として、リトライの種別を持つことを特徴とする非同期伝送方法。
【請求項１３】
請求項１又は５に記載の非同期伝送方法において、
複数の非同期パケット送信先端末を通知することを特徴とする非同期伝送方法。
【請求項１４】
請求項１３に記載の非同期伝送方法において、
複数の非同期パケット送信先端末のうち、中継の必要な非同期パケット送信先端末を非同期パケット送信元端末に通知することを特徴とする非同期伝送方法。
【発明の詳細な説明】
【０００１】
【発明の属する技術分野】
本発明は、無線バスにおける非同期伝送方法に関し、より詳細には、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４シリアルバスと同等のマルチメディア・データ転送を無線環境下において実現するための非同期伝送方法に関するものである。
【０００２】
【従来の技術】
近年、映像データや音声データなどのマルチメディア・データの転送に適した規格である、ＩＥＥＥ１３９４、Ｈｉｇｈ  Ｐｅｒｆｏｒｍａｎｃｅ  Ｓｅｒｉａｌ  Ｂｕｓにより、テレビ、ビデオやパソコンなどのデジタル機器の間でマルチメディアデータを高速かつリアルタイムに転送を行えるような環境整備が進んでいる。
このＩＥＥＥ１３９４バスには、アイソクロナス転送モード（リアルタイム転送モード）とアシンクロナス（非同期）転送モードとの２つのデータ転送モードが規定されている。
【０００３】
アイソクロナス転送モードは、あらかじめ帯域を確保し、規則的な間隔（１２５μｓ毎）で一定量のパケットを送受信することが保証されたモードであって、高速な処理が可能なため映像やオーディオなどの用途に適する。この転送モードでは、受信側ノードはデータ受信のみを行い、送信側にデータ受信の旨の返答は行わない。
【０００４】
これに対して、通常のファイルの転送や機器間の制御等に適する非同期転送モードは、文字通り非同期にパケットの転送を行うモードであって、アイソクロナス転送モードに比して優先順位が劣るモードである。また、この非同期転送は、送信元ノードがトランザクションと呼ばれるサービスを送信先ノードに要求し、確認するために使用される。トランザクション処理の中で、受信側ノードはデータ受信後に受信結果を通信要求に対する確認信号（以下、ＡＣＫと称す）パケットとして送信元へ返答する。
【０００５】
このＡＣＫパケットは、信頼性を向上させるために、有効な手段である。仮に、送信元でＡＣＫパケットが受信できなかった場合、送信元は、非同期パケット送信に失敗したと判断し、適切な処理、例えば該非同期パケットの再送を行う。
上記非同期転送モードにおけるパケットのフォーマットについて簡単に説明する。このパケットフォーマットは、３２ビットのデータ列よりなるパケットであって、通常のパケットと同様にヘッダ部とデータ部とからなる。
【０００６】
ヘッダ部内には、送信先の機器を識別するための応答側ノード識別子（ｄｅｓｔｉｎａｔｉｏｎ  ＩＤ）と、送信元の機器を識別するための要求側ノード識別子（ｓｏｕｒｃｅ  ＩＤ）とが含まれている。
また、ヘッダ部内には、機器から送信された未解決の各トランザクションに割り当てられた固有のタグであって、リクエストパケットとレスポンスパケットとの対応をつけるための番号であるトランザクションラベル（ｔＬａｂｅｌ：以下ｔ１）と呼ばれる６ビットのフィールドが含まれている。
【０００７】
さらに、ヘッダ部内には、パケットのフォーマットと、実行しなければならないトランザクションのタイプを指定するコードであるトランザクションコード（ｔＣｏｄｅ）が含まれている。
このトランザクションコードは、パケットの種類を示し、そのトランザクションがリードトランザクション（ｒｅａｄ）、ライトトランザクション（ｗｒｉｔｅ）、ロックトランザクション（ｌｏｃｋ）のいずれかであるかということと、リクエストパケット又はレスポンスパケットのいずれであるかということとを示している。
【０００８】
なお、リードトランザクションは、相手先の特定アドレスの値を読み込むトランザクション、ライトトランザクションは、相手先の特定アドレスに値を書き込むトランザクション、ロックトランザクションは、アドレスとデータを相手先に転送し、受信側で、そのデータと指定されたアドレスの値のデータを組み合わせて、特定の処理（値の交換等）を行い、指定アドレスの値を更新するトランザクションである。
【０００９】
上記のリクエスト側機器の要求側ノード識別子（ｓｏｕｒｃｅ  ＩＤ）、応答側機器の応答側ノード識別子（ｄｅｓｔｉｎａｔｉｏｎ  ＩＤ）、及びトランザクションラベル（ｔ１）の組合せによって、各トランザクションは固有のものと識別できるようになっている。
【００１０】
トランザクションによるメッセージのやり取りは、トランザクション要求、トランザクション応答の組み合わせにより実現される。このとき、送信元ノードが一つのトランザクション要求を送信した後、トランザクション応答を受信するまで、前記のトランザクション要求とは異なるトランザクション要求もしくはトランザクション応答が発生してもよい。
【００１１】
ここで、これらの複数のトランザクションを識別するためのトランザクションラベル（ｔ１）の扱いとして、送信元ノードが、ノードＭに対してトランザクションラベルＮを持つトランザクション要求を送信し、それに対応するトランザクション応答がまだ返されていないとき、どのノードもノードＭに対して、トランザクションラベルＮのトランザクション要求を送信してはならない、という条件がある。
【００１２】
すなわち、トランザクションは、要求側ノード識別子、応答側ノード識別子とトランザクションラベルの３つの組み合わせで識別される。言い換えると、トランザクションラベルを決定するためには、どのノードも全てのトランザクションを監視する必要があることを意味している。
【００１３】
また一方で、このような非同期パケットを送信する場合は、平等調停と呼ばれる方法により非同期パケットの送信権を得なければならない。平等調停では、一定の時間内で見た場合、各端末は１回ずつバスに対する送信権利を得るものである。
【００１４】
【発明が解決しようとする課題】
ところで、ＩＥＥＥ１３９４バスに準拠した機器間は、シールドされたツイストペアのケーブルで接続されるが、ＩＥＥＥ１３９４バスに準拠した機器が増えれば増えるほど、ケーブルの配線が大きな問題となる。したがって、無線により、ＩＥＥＥ１３９４バスと同等のマルチメディア・データ転送を行いたいという要望が、近年大きくなっている。
【００１５】
従来のＩＥＥＥ１３９４バスは、前述のとおり、ケーブルで接続されるため、全てのノードに必ずデータが送信されるという前提があるが、無線環境下のＩＥＥＥ１３９４バス（以下、無線バスと呼ぶ）においては、設置位置によっては、全ノードが相互にデータの送受が可能なわけではない。
【００１６】
このような場合、どのノードも全てのトランザクションを監視することは不可能となる。すなわち、異なるトランザクションであるにも関わらず、同じトランザクションラベルを用いたトランザクションが発生する可能性があり、結果として誤動作を引き起こすという問題が発生する。
また、無線データ通信を行う場合の変調方式として、ＰＳＫやＱＡＭ変調方式が知られているが、より高速伝送を可能とするため、１６ＱＡＭや６４ＱＡＭ等の、より多値の変調方式が提案されている。
【００１７】
しかしながら、近距離など条件のよい場合には、これら多値変調方式を採用することにより、高速な伝送速度を確保することができるが、逆に遠距離や壁越しなど条件の悪い場合には、多くのエラーが発生し、実質的に通信を行うことができない。
【００１８】
このため、より広範囲にかつ品質を保ちながら無線バスを構築するために、１種類の変調方式・符号化率に固定するのは得策でなく、例えば特開平１１−２６６２５６号公報などでは、その時点での最適な変調方式・符号化率を、適宜選択する方法が提案されている。
しかしながら、この場合、送信側ノード及び受信ノードともに、選択された変調方式・符号化率を、予め何らかの手段で知る必要があるという問題が発生する。
【００１９】
さらに、先に述べたように、全ての端末間で常に相互に直接通信可能であるとは言えない。したがって、直接通信を行うことができない状況であっても、通信を行いたい場合、異なるノードに中継を依頼することが考えられるが、これも事前に中継が必要かどうかの判断及びどのノードに中継を依頼するのかを決定しなければならないという問題が発生する。
【００２０】
また、ＩＥＥＥ１３９４バスの非同期パケット転送を実施する場合の平等調停は、有線の特徴を利用しているため、無線バスにおいては異なる調停方法を用いることが必要となる。その方法の一つとしてポーリング方式が考えられ、以下のような手段で実現する。
【００２１】
このポーリング方式とは、バス内のある一つの端末が、バス内の他の端末にポーリングパケットを送信することによって非同期パケット送信権を与えていく。ここで送信権を与えられた端末は、送信すべき非同期パケットが存在すれば非同期パケットの送信を開始する。
【００２２】
このとき、送信すべき非同期パケットが存在しない場合、送信権を与えられた端末は、データを送信できないため、このポーリングパケットは無駄な情報となる。本来ポーリング方式は、衝突が発生しないため、より効率的に帯域を利用できる方法ではあるが、多くのアイソクロナス帯域が予約された時など非同期パケットを伝送するための帯域が少ない状況を考えると、ポーリングパケットが占める帯域も無視できなくなるという問題が発生する。
【００２３】
本発明は、このような課題に鑑みてなされたものであって、ＩＥＥＥ１３９４ネットワークの非同期伝送において必要となるトランザクションラベル（ｔ１）や変調方式・符号化率や中継判断を、ハブ局にて集中管理させ、さらに優先処理を伴ったポーリングを実現することによって、効率的に無線環境下でのＩＥＥＥ１３９４ネットワーク（無線バス）における非同期伝送方式を提供することを目的とする。
【００２４】
【課題を解決するための手段】
本願の第１の発明によれば、個々の無線端末（ノード）が、ハブ局に対して全てのノード間のリンク状態を報告する動作状態報告パケットに、非同期パケットの送信状態を相手ノード識別子とともにハブ局に通知する。
【００２５】
本願の第２の発明によれば、ハブ局は、前記通知された非同期パケット送信状態と非同期パケット送信先端末とから、トランザクションラベルの割り当てを行う。
本願の第３の発明によれば、さらに、ハブ局は、ポーリングにより無線端末に非同期パケットの送信権を与えるとき、前記トランザクションラベルを、ポーリングパケット内で非同期パケットの送信元端末に通知する。
【００２６】
本願の第４の発明によれば、ハブ局は、ポーリングにより無線端末に非同期パケットの送信権を与えるとき、前記動作状態報告パケットにて報告された受信状態情報と、非同期パケット送信状態と、非同期パケット送信先端末とから、非同期送信パケットの送信元端末と送信先端末との間で最適な変調方式・符号化率（伝送パラメータ）を決定し、ポーリングパケット内で通知する。
【００２７】
本願の第５の発明によれば、ハブ局は、ポーリングにより無線端末に非同期パケットの送信権を与えるとき、前記動作状態報告パケットにて報告された受信状態情報と、非同期パケット送信状態と、非同期パケット送信先端末とから、非同期送信パケットの送信元端末と送信先端末との間で中継が必要か否か（伝送パラメータ）の判断を行い、ポーリングパケット内で中継ノードを通知する。
【００２８】
本願の第６の発明によれば、ハブ局からのポーリングにより非同期パケットの送信権が得られた無線端末は、前記ポーリングパケット内で通知された伝送パラメータに基づき、非同期パケットの送信を行う。
本願の第７の発明によれば、ハブ局からのポーリングにより非同期パケットの送信先端末に指定された無線端末は、前記送信された非同期パケットの受信を行う。
【００２９】
本願の第８の発明によれば、無凝端末は、さらに、前記動作状態報告パケットにより、非同期パケットの送信終了状態を、相手ノード識別子と使用したトランザクションラベルとともにハブ局に通知する。
本願の第９の発明によれば、ハブ局は、前記通知された非同期パケット送信終了状態と、非同期パケット送信終了先端末と、トランザクションラベルとに基づいて、トランザクションラベルの開放を行う。
【００３０】
本願の第１０の発明によれば、ハブ局が動作状態報告パケット内に在る非同期パケット送信状態の種別を元に、該ノードに対して非同期パケットの送信権を与えるためのポーリングパケットの送信順序を決定する。
本願の第１１の発明によれば、ハブ局が動作状態報告パケット内にある非同期パケット送信状態として、非同期パケットとＡＣＫを異なる優先順位で非同期パケットの送信権を与える。
【００３１】
本願の第１２の発明によれば、ハブ局が動作状態報告パケット内にある非同期パケット送信状態として、リトライパケットの送信をより高い優先順位で非同期パケットの送信権を与える。
本願の第１３の発明によれば、複数の非同期パケット送信先端末を通知する。
本願の第１４の発明によれば、複数の非同期パケット送信先端末のうち、中継の必要な非同期パケット送信先端末を非同期パケット送信元端末に通知する。
【００３２】
本発明においては、以上のような構成とすることによって、以下のように作用する。
ハブ局は、無線端末（ノード）から送信された動作状態報告パケットに含まれる非同期パケット送信終了状態と、それに付随する相手先ノード情報とに基づいて、指定されたトランザクションラベルの開放を行う。
【００３３】
また、ハブ局は、無線端末（ノード）から送信された動作状態報告パケットに含まれる非同期パケット送信要求と、それに付随する相手先ノード情報とに基づいて、トランザクションラベルの割り当てを行う。
さらに、同じく動作状態報告パケットに含まれているリンク状態情報から、無線バス全体のトポロジーマップを作成し、このトポロジーマップから、動作状態報告パケットの送信元ノードと非同期パケット送信要求で指定されている相手先ノードとの間で最適な変調方式・符号化率の選択を行い、また、直接通信することが不可能であれば中継ノードの決定も行う。
【００３４】
このようにして決定された伝送パラメータは、ハブ局よりポーリングパケットによって、非同期パケット送信権の与えられる無線端末（ノード）に通知され、該送信権の得た無線端末（ノード）は、ポーリングパケット内で指定される伝送パラメータに基づいて、非同期パケットの送信を行う。
また、同じくポーリングパケット内で指定される非同期パケットの送信先の無線端末（ノード）は、ポーリングパケット内で指定される伝送パラメータに基づいて、非同期パケットの受信を行う。
また、動作状態報告パケヅト内の非同期パケット送信状態の種別によって、ハブ局は送信すべき非同期パケットを有するノードに対して優先的に非同期パケットの送信権を与える。
【００３５】
【発明の実施の形態】
以下、添付図面を参照しながら本発明の好適な非同期伝送方法の実施の形態について詳細に説明する。
図１は、本発明の実施の形態における無線バスの概略構成を示す説明図である。図１において、楕円で囲まれた部分は、各ノードにおいて通信が可能なカバーエリアを示している。
【００３６】
無線バスのネットワークを構築するためには、必ず無線バスネットワークのような制御や管理を司るハブ局と呼ばれるノードが必要となり、ネットワークの構成形態として、一つの無線バス内では、一つのハブ局のみ存在し、ハブ局を中心としたスター型のトポロジー構成をとる。
すなわち、無線バスネットワーク上のアクティブなノードは、常にハブ局との双方向通信が可能な状態となっている。ハブ局の主たる役目として、以下がある。
【００３７】
（１）無線バス資源の管理
バストポロジーの管理、アイソクロナスや非同期伝送を実現するために必要な資源の管理を行う。
（２）通信タイミング制御
フレーム開始やアイソクロナス転送が可能なタイミングを各ノードに通知する。
【００３８】
また、一つの無線バスに参加しているノードには、無線バス内で一意に識別するために、ノード識別子が割り当てられている。これは、無線バスが最初に構成されるときや、バス自体にリセットが発生したときに、動的に割り当てられる。
データフローに関しては、ノード同士が直接通信することを前提としているこ但し、各ノードの設置場所によっては、直接通信できない場合もある。例えば、各ノードが図１に示すような環境にある場合、ノード１とノード２、ノード２とノード３はそれぞれ直接通信が可能であるが、ノード１とノード３との間では直接通信が不可能となる。
言い換えると、ノード１から見てノード３は隠れ端末となっている。この場合、ノード１とノード３とが通信するために、ハブ局もしくはそれに準ずるノードが通信を中継してもよい。
【００３９】
また、無線バス内のノードの位置や周囲の環境によって、適宜変調方式・符号化率を切り替える。これにより、近距離で、より高い通信品質を確保することができる場合には、最も高速なデータ速度を実現できる変調方式・符号化率を選択する。
一方、距離が離れたり壁越しで通信しなければならないような状況であっても、ノイズに強い通信できる変調方式・符号化率を選択することにより、ある程度の通信品質を保ちながら、より広範囲で無線バスを構築することが可能となる。
【００４０】
図２は無線バスが使用する無線フレームの構成を示す説明図である。図２において、管理領域は、フレームの維持管理や各ノード間の通信品質の確認等を行うために、ハブ局と各ノード間で通信を行うための領域である。
管理領域での通信は、共通の変調方式・符号化率を使用する。管理領域は、さらにフレームスタート情報と、動作状態報告情報との２つの領域から構成される。
【００４１】
フレームスタート領域は、フレームの開始を無線バス内の全ノードに通知するために、ハブ局がノードに向けて送信する領域である。主な内容としては、
・フレーム同期情報
・無線バスパラメータ
・管理情報
がある。
【００４２】
動作状態報告領域は、無線バスに参加しているノードが、自身の動作状態を報告するための領域である。パケット構成としては、例えば図３に示すような、以下のような情報が含まれる。但し、必ずしも全ての情報が揃っていなければならない訳ではない。
【００４３】
（１）無線バス識別子
近傍に異なる無線バスが存在する場合に識別するために使用する。スクランブルパターンでネットワークを識別する方法など他の識別手段があればなくてもよい。
（２）送信元ノード識別子
動作状態報告情報を送信したノード識別子を設定する。動作状態報告領域において、ノード識別子の順に領域を割り当てる等他の識別手段があればなくてもよい。
【００４４】
（３）他ノードからの受信状況
各ノードは、フレームの管理領域において、他のノードからの動作状態報告情報を受信するたびに、その受信電力を測定する。その結果を基に、該当ノードからの送信データはどの程度の強度で受信可能かを示す受信状況を、自身が送信する動作状態報告の中で報告する。
【００４５】
この情報に基づいて、任意の２ノード間で最適な変調方式・符号化率を選択する目安とする。
例えば、ノード０の受信状況を図４に示す。この場合、ノード１及びノード３から送信されたデータは、ノード０における受信電界強度が強いので、ノード１及びノード３がノード０にデータを送信する場合、最も高速のデータ速度を実現する変調方式・符号化率を選択することを意味する。
【００４６】
（４）非同期パケット送信状態
ノードは、アプリケーションから非同期パケットの送信要求を受けると、ハブ局に非同期パケットを送信する準備があることを通知する。
非同期パケット送信状態としては、以下のような状態がある。
・トランザクション送信なし
・新規トランザクション送信待ち
・通常トランザクション送信待ち
ハブ局は、新規トランザクション送信待ちもしくは通常トランザクション状態送信待ちが通知されると、そのノードに対しポーリングの送信を準備する。
【００４７】
さらに、新規トランザクション送信待ちは、トランザクション要求の最初の非同期パケットを送信する場合を指し、トライザクションラベルの割り当ての要求を意味する。
これは、一つのトランザクション要求もしくは応答で用いられるパケットが、複数の非同期パケットとして分割して送信されることを意図しているためである。割り当てられたトランザクションラベルは、ポーリングパケットで通知される。
【００４８】
また同様に、非同期パケット送信状態としては、以下のような状態も考えられる。
・非同期パケット送信なし
・非同期パケット送信待ち
・ＡＣＫ送信待ち
ハブ局は、非同期パケット送信待ちもしくはＡＣＫ送信待ちが通知されると、そのノードに対しポーリングの送信を準備する。
【００４９】
このとき、ハブ局は各ノードからの非同期パケット送信状態の種別により、各ノードの非同期パケット送信権の優先順位を決定する。
例えば、非同期パケット送信なし、非同期パケット送信待ち、ＡＣＫ送信待ちの順で送信権を与える優先順位を高くする。
【００５０】
また、上記状態に加え、非同期パケット送信待ち、ＡＣＫ送信待ちにリトライ送信を追加してもよい。この場合の非同期パケット送信状態は、以下の５種類となる。
・非同期パケット送信なし
・非同期パケット送信待ち
・非同期パケット送信待ち（リトライ）
・ＡＣＫ送信待ち
・ＡＣＫ送信待ち（リトライ）
【００５１】
この場合の優先順位の一例として、非同期パケット送信なし、非同期パケット送信待ち、ＡＣＫ送信待ち、非同期パケット送信待ち（リトライ）、ＡＣＫ送信待ち（リトライ）の順で優先度を高くし、その順で送信権を与えれば、より効率的である。
【００５２】
（５）非同期パケット送信先ノード識別子
非同期パケット送信状態が、新規トランザクション送信待ちもしくは通常トランザクション送信待ちの場合、非同期パケットの送信先のノード識別子を設定する。
また同様に、非同期パケット送信状態が、非同期パケット送信待ちもしくはＡＣＫ送信待ちの場合、非同期パケットの送信先のノード識別子を設定する。
【００５３】
さらに、複数の送信先のパケットを一度のポーリングで送信可能な場合、複数の送信先を一度に設定してもよい。フォーマットとしては、送信先識別子を複数個繰り返した構成も考えられるし、ビットマップ形式にしてビットマップの各位置とノードとの対応をとり、送信先のノード識別子に対応するビットをセットすることにより、通知を行うようなフォーマットも考えられる。
【００５４】
このときの送信状態の扱いとしては、各送信先に対応した送信状態を通知できることがよいが、パケットサイズが大きくなりすぎることなどが考えられ、そのような場合には、最も優先して送信したい非同期パケットを送信状態として通知してよい。
【００５５】
（６）非同期パケット送信終了状態
ノードは、非同期パケットの受信を終了すると、ハブ局に終了状態を通知する。トランザクションの終了とは、トランザクション応答の全ての非同期パケットが送信されたことを意味する。非同期パケット送信終了状態としては、以下のような状態がある。
・終了トランザクションなし
・終了トランザクションあり
ハブ局は、終了トランザクションありが通知されると、トランザクションラベルの開放を行う。
【００５６】
（７）非同期パケット終了先ノード識別子
非同期パケット送信終了状態が、終了トランザクションありの場合、非同期パケットの送信元を設定する。
（８）終了トランザクションラベル
非同期パケット送信終了状態が、終了トランザクションありの場合、開放するトランザクションラベルの値を設定する。
次に、データ領域の説明を行う。データ領域としては、アイソクロナス領域と非同期伝送領域との２つがある。
【００５７】
ＩＥＥＥ１３９４では、アイソクロナスと非同期伝送の２つのデータ転送モードがある。アイソクロナス伝送は、帯域が保証される転送モードであり、予め帯域を確保した上でデータ転送を行う。
無線バスでも同様に帯域を保証するために、事前に無線フレーム上でアイソクロナス領域を確保する。このため、アイソクロナスとして確保された帯域の量に応じて、アイソクロナス領域の大きさが変化する。
【００５８】
非同期伝送領域は、予め帯域が確保されることなく、適宜非同期パケットの伝送が行われる。１フレーム内において、管理領域及びアイソクロナス領域が終わった後から、次のフレームが開始されるまでの空きの領域で順次非同期パケットが送信される。
【００５９】
また、一つのトランザクション要求もしくは応答は、複数の非同期パケットに分割して送信される。
非同期伝送は、ハブ局からのポーリング制御により行う。すなわち、ハブ局は、送信権を与えるノード識別子を含めたポーリングパケットを送信し、送信権を得たノードが非同期パケットの送信を開始する。ポーリングパケットには、例えば図５に示すとおり、以下の情報が含まれる。但し、必ずしも全ての情報が揃っていなければならない訳ではない。
【００６０】
（１）無線バス識別子
近傍に異なる無線バスが存在する場合に識別するために使用する。スクランブルパターンでネットワークを識別する方法など他の識別手段があればなくてもよい。
【００６１】
（２）送信権ノード識別子
無線バス内の全端末は、ポーリングパケット内の送信権を示すフィールドを判断し、自ノード識別子が設定されていれば、以下のパラメータ（非同期パケット送信権種別、非同期パケット送信先ノード識別子、トランザクションラベル、変調方式・符号化率、中継フラグ、中継ノード識別子）に基づいて、非同期データの送信を開始する。
【００６２】
（３）非同期パケット送信権種別
与えられた非同期パケット送信権の種別を示す。非同期パケット送信権種別としては、以下の種別があり、動作状態報告パケットの非同期パケット送信状態に応じた値が設定される。
・新規トランザクション送信権
・通常トランザクション送信権
【００６３】
（４）非同期パケット送信先ノード識別子
与えられた非同期パケット送信権の送信先ノード識別子を設定する。なお、全てのノードも常にこのフィールドを確認し、自ノードが設定されていた場合、以下のパラメータ（変調方式・符号化率、中継フラグ、中継ノード識別子）に基づいて、受信準備を行わなければならない。
【００６４】
（５）トランザクションラベル
非同期パケット送信権種別が、新規トランザクション送信権の場合、ハブ局により割り当てられたトランザクションが設定される。
（６）変調方式・符号化率
非同期パケットの送信に使用すべき変調方式・符号化率が設定される。
（７）中継フラグ
中継が必要かどうかのフラグである。
【００６５】
（８）中継ノード識別子
中継フラグが中継必要となっていた場合、中継ノード識別子を示す。
（９）要中継送信先ノード識別子
複数送信先に指定された場合、そのうちのどの送信先に対して中継が必要かを示す。フォーマットとしては、要中継送信先ノード識別子を複数個繰り返した構成も考えられるし、また、ビットマップ形式にしてビットマップの各位置とノードとの対応をとり、中継が必要な送信先ノード識別子に対応するビットをセットすることにより、通知を行うようなフォーマットも考えられる。
【００６６】
次に、本実施の形態におけるハブ局の概略構成について、図６とともに説明する。図６において、動作状態報告パケット判定部４は、受信部６にて受信した動作状態報告パケットの内容を判定し、その内容をトランザクションラベル割り当て判定部１、変調方式・符号化率判定部２、中継判定部３に通知する。
トランザクションラベル割り当て判定部１は、動作状態報告パケット動作状態報告パケット判定部４から通知された内容に基づいて、トランザクションラベルの割り当てを行う。
【００６７】
変調方式・符号化率判定部２は、動作状態報告パケット判定部４から通知された内容に基づいて、最適な変調方式・符号化率を選択する。中継判定部３は、動作状態報告パケット判定部４から通知された内容に基づいて、中継を行うかどうか及び中継ノードの判定を行う。
【００６８】
ポーリングパケット作成部５は、トランザクションラベル割り当て判定部１、変調方式・符号化率判定部２、中継判定部３で判定された内容に基づいて、ポーリングパケットを作成し、送信部７よりポーリングパケットを送信する。
また、本実施の形態におけるハブ局の別の概略構成について、図１５とともに説明する。図１５において、動作状態報告パケット判定部４は、受信部６にて受信した動作状態報告パケットの内容を判定し、その内容を変調方式・符号化率判定部２、中継判定部３、ポーリング制御部８に通知する。
【００６９】
変調方式・符号化率判定部２は、動作状態報告パケット判定部４から通知された内容に基づいて、最適な変調方式・符号化率を選択する。中継判定部３は、動作状態報告パケット判定部４から通知された内容に基づいて、中継を行うかどうか及び中継ノードの判定を行う。
【００７０】
ポーリングパケット作成部５は、変調方式・符号化率判定部２、中継判定部３で判定された内容に基づいて、ポーリングパケットを作成し、ポーリング制御部８にポーリングパケットを引き渡す。
ポーリング制御部１は、動作状態報告パケット判定部４から渡された内容をもとにポーリングパケットの送信順序を決定し、送信部７に引き渡す。
【００７１】
さらに、本実施の形態におけるノードの概略構成について、図７とともに説明する。図７において、非同期パケット作成部４２は、非同期パケットを作成し、送信部４７に送信する。また、非同期パケットを送信する前に、動作状態報告パケット作成部４４に送信要求を通知する。
【００７２】
動作状態報告パケット作成部４４は、非同期パケット作成部４２からの非同期パケット送信要求と、受信電力測定部４６で測定された受信電力に基づいて、動作状態報告パケットを作成し、送信部４７に送信する。受信部４５では、受信したパケットの種別に基づいて、非同期パケット判定部４１もしくは動作状態報告パケット判定部４３に通知する。
【００７３】
動作状態報告パケット判定部４３は、受信部４５で受信されたポーリングパケットの内容を判定し、その内容を非同期パケット判定部４１、非同期パケット作成部４２、送信部４７、受信部４５に通知する。
非同期伝送を実施するためには、２つのフェーズに分割される。１つはフレームの管理領域の動作状態報告パケット通して、非同期伝送の要求を行う、非同期伝送の要求フェーズである。
【００７４】
もう１つは、その要求に基づき、無線フレーム内の非同期伝送領域において、ハブ局からのポーリングにしたがって、各ノードが実際に非同期パケットを送信する送信フェーズである。
要求フェーズでは、各ノードは、動作状態報告領域が開始されると、動作状態報告パケットを作成する。まず、自身の属する無線バス識別子と自身の送信元ノード識別子を設定する。
【００７５】
他ノードの受信状況は、現フレームの直前のフレーム内の動作状態報告領域において、他のノードから送信されたパケットを受信したときの受信強度から作成する。
また、アプリケーションから非同期パケット送信要求を受信している場合、非同期パケット送信状態、非同期パケット送信先ノード識別子のフィールドに適当な値を設定する。
【００７６】
非同期パケット送信状態には、トランザクション要求の最初の非同期パケットを送信する場合、新規トランザクション送信待ちを設定し、それ以外の非同期パケットを送信する場合には、通常トランザクション送信待ちを設定する。
同時に、非同期パケット送信先ノード識別子には、通信先ノード識別子を設定する。アプリケーションから非同期パケット送信要求を受信していない場合には、非同期パケット送信状態に、トランザクション送信なしを設定する。
【００７７】
直前のフレームで非同期パケットの送信が終了した場合、非同期パケット送信終了状態に、終了トランザクションあり、非同期パケット送信終了先ノード識別子、及び終了したトランザクションで使用していたトランザクションラベルを設定する。
同様に、非同期パケット送信状態として以下のような状態も考えられる。ＡＣＫ以外の非同期パケットを送信する場合には、非同期パケット送信待ちを設定し、ＡＣＫパケットを送信する場合には、ＡＣＫ送信待ちを設定する。
【００７８】
同時に、非同期パケット送信先ノード識別子には、通信先ノード識別子を設定する。アプリケーションから非同期パケット送信要求を受信していない場合には、非同期パケット送信状態に、非同期パケット送信なしを設定する。
各ノードからの動作状態報告パケットを受信したハブ局は、まず受信状況フィールドの値を読み取り、トポロジーマップを順次作成していく。また、それ以外のフィールドは一時的に保持しておく。これは、後に述べる変調方式・符号化率の決定及び中継判断を行うときに最新のトポロジーマップを基に判定するためである。
【００７９】
全てのノードからの動作状態報告パケットを受信すると、動作状態報告パケットで報告された非同期パケットの送信状態や終了状態に応じて、図８のフローチャートに示すような動作を行う。
まず、動作状態報告パケット内の非同期パケット送信終了状態及び非同期パケット送信状態に応じて、トランザクションラベルに対する処理を行う。非同期パケット送信終了状態が、トランザクション終了の場合、トランザクションラベルの開放を行う（Ｓ６０１）。
【００８０】
このとき、非同期パケット送信終了元ノードは、動作状態報告パケットの送信元ノードとする（Ｓ６０２）。これと、非同期パケット送信終了先ノードと終了トランザクションラベルの値とともに、トランザクションラベルの開放を行う（Ｓ６０３）。
【００８１】
また、非同期パケット送信状態が、トランザクション送信待ちなしでない（Ｓ６０４）、かつ非同期パケット送信状態が新規トランザクション送信待ちの場合（Ｓ６０６）、トランザクション送信元ノードは、動作状態報告パケットの送信元ノードとし（Ｓ６０５）、トランザクション送信先ノードとともに、トランザクションラベル割り当ての処理を行う（Ｓ６０７、Ｓ６０８）。
【００８２】
ここで、トランザクションラベル割り当て及び開放のための具体例について、図９乃至図１２とともに説明する。ＩＥＥＥ１３９４では、個々のトランザクションを識別するために、トランザクションラベルを設けている。
トランザクションラベルを決定するためには、ＩＥＥＥ１３９４バス内の全てのノードが非同期パケットを観測する必要があるが、無線環境下では異なる変調方式・符号化率が混在すること及び隠れ端末が存在することにより、常に非同期パケットを観測することが不可能となる。
【００８３】
このため、本実施の形態の無線バスでは、トランザクションラベルの管理は、ハブ局が集中管理するものとし、トランザクションを発行したいノードは、動作状態報告パケットを通して、ハブ局にトランザクション割り当てを要求する。これは、非同期パケット送信状態が、新規トランザクション送信待ちの場合のみ、実行される（特願２０００−０２７４７５号）。
【００８４】
トランザクションの管理を行うために、ハブ局では、図９に示すようなテーブルを持つ。テーブルの値は整数値であり、この値でトランザクションラベルの割り当て状況を示す。
この整数の各ビットの値が１であれば、そのビット位置を示す値は、トランザクションラベルとして使用可能であり、各ビットの値が０であれば、そのビット位置を示す値は、トランザクションラベルとして現在使用中であることを示している。
【００８５】
本実施の形態では、トランザクションラベルの値の長さとして６ビットを想定しており、従ってテーブル内の各値は６４ビット長となっている。同時に、図９に示す状態では、全てｆｆｆｆｆｆｆｆｆｆｆｆｆｆｆｆ（１６）（（１６）は１６進数であることを示す）となっており、これは、どのノードも全てのトランザクションラベルは未使用であり、すなわち初期状態と等価であることを示している。
【００８６】
例えば、この状態で、ノード０がノード１とトランザクションを実行するために、トランザクション割り当て要求を受信した場合に、このテーブルがどのように扱われるかを説明する。
トランザクション割り当て処理を行うと判断したハブ局は、トランザクション割り当て要求に付加されるパラメータ、自身のノード識別子と相手のノード識別子とを基に、テーブル中の値をリードする。この例では、トランザクション送信元識別子＝０、トランザクション送信先識別子＝１となる。
【００８７】
先に説明したとおり、この状態では、ｆｆｆｆｆｆｆｆｆｆｆｆｆｆｆｆ（１６）であるため、トランザクションラベルとして、どの値も使用可能である。したがって、ハブ局がトランザクションラベルとして０を使用すると決定すると、ノード０に対し、割り当ての結果として０を返すと同時に、図１０に示すように、ノード０とノード１に関係する全てのフィールドのビット位置が０の値を０にクリアする、すなわちｆｆｆｆｆｆｆｆｆｆｆｆｆｆｆｅ（１６）に書き換える。
【００８８】
逆に、指定されたトランザクションラベルの開放を行う場合には、トランザクションの送信先と送信元に関連する全てのフィールドの値において、終了トランザクションラベルで示されるビット位置の値を１にセットする。
さらに、トランザクションラベルマップの他の構成例としては、図１１に示すようなテーブルが考えられる。この場合、保持する情報は割り当て状況を示す値をノード毎に保持するだけである。
【００８９】
ここでは、上記の例と同様、ノード０がノード１とトランザクションを実行するために、ハブ局に対してトランザクションラベル割り当て要求を発行した場合、ハブ局はノード０とノード１の割り当て状況を示す値のビット毎の論理積をとつた値のビットが１であるビット位置の値をトランザクションラベルとして割り当て、さらに図１２に示すように、ノード０とノード１の値を書き換える。
【００９０】
指定されたトランザクションラベルの開放を行う場合には、トランザクションの送信先と送信元ノードのフィールドの終了トランザクションラベルで示されるビット位置の値を１にセットする。以上が、トランザクションラベル割り当てのための具体例である。
【００９１】
次に、非同期パケット送信状態が新規トランザクション送信待ちもしくは通常トランザクション送信待ちの場合（Ｓ６０５）、以下のとおりに、変調方式・符号化率の決定を行う（Ｓ６０９、Ｓ６１０）。
同様に、動作状態報告パケットで報告された非同期パケットの送信状態や終了状態に応じた動作の別の例を、図１６のフローチャートに示す。
【００９２】
このとき、非同期パケット送信状態が非同期パケット送信待ちもしくはＡＣＫ送信待ちの場合（Ｓ６１４）、以下のとおりに、変調方式・符号化率の決定を行う（Ｓ６０９、Ｓ６１０）。
ハブ局は、動作状況報告パケット内の他ノードからの受信状況の情報から、任意の２ノード間の通信状況を示すトポロジーマップを作成する。これは、ハブ局が各ノードから受信した動作状態報告情報を表にすることで作成可能である。
【００９３】
ハブ局は、全ての端末と通信可能であるという前提があるため、ハブ局が最も信頼性の高い情報を保持していることになる。他のノードでも動作状況報告を受信することによって、トポロジーマップを作成することが可能であるが、位置や環境によって、常に任意のノードと通信可能であるという保証はなく、トポロジーマップの情報が一部欠落している可能性がある。
また、トポロジーマップは、毎フレームの管理領域において、全てのノードからの動作状況報告が終了次第更新される。このトポロジーマップに基づいて、個々のトランザクションで使用すべき変調方式・符号化率を決定する。
【００９４】
例えば、図１３に示すようなトポロジーマップの状態では、次のようになる。すなわち、ノード０からノード１との間でトランザクション送信要求又は非同期パケット送信要求もしくはＡＣＫ送信要求があった場合、ノード０とノード１との間では、双方向とも受信電界強度が強であるので、最も早い速度を実現する変調方式・符号化率を選択する。
【００９５】
また、ノード２とノード４との間では、双方向とも電界強度が弱であるので、最も低い速度を実現する変調方式・符号化率を選択する。
最後に、中継に関する処理を行う。このために、前述のトポロジーマップを使用して、中継が必要かどうか（Ｓ６１１）及び中継ノード（Ｓ６１２）の決定を行うことも可能となる。
【００９６】
例えば、図１３に示すようなトポロジーマップが得られている状況では、ノード０とノード４との間は、通信が双方向とも不可であるので、この２つのノード間で通信を行うためには中継が必要となる。
当然、ハブ局は、両者のノードとも通信が可能であるため、中継ノードとして動作可能である。さらに、それ以外でもトポロジーマップからノード０及びノード４の両者と通信可能な端末を選択して動作させることも可能である。
【００９７】
例えば、図１３に示す状況では、ノード１はノード０ともノード４とも双方向で良好な通信が可能であるため、中継ノードとして、最もふさわしいと考えられる。
次に、送信フェーズにおける処理の概要について説明する。非同期伝送領域が開始されるまでに、ハブ局は各ノードからの動作状態報告パケットにて報告された非同期パケットの送信要求を通知したノードに対し、ポーリングスケジュールの組み立てを行う（Ｓ６１３）。
【００９８】
これは、ノード識別子の順に行ってもよいし、前フレームで非同期パケットを送信しなかったノードを優先させてもよい。
例えば、最も高度な制御の例として、非同期パケット送信要求の種別によって優先的に非同期パケットの送信権を与える方法がある。すなわち、ＡＣＫ送信待ちと非同期パケット送信待ちを同時に受け付けている場合、ＡＣＫ送信待ちのノードを優先させ、その後に非同期パケット送信待ちのノードにポーリングパケットを送信する。送信を要求している全てのノードに対して、ポーリングを送信し終わった場合、ノード識別子の順にポーリングを送信すればよい。
【００９９】
非同期伝送領域が開始すると、ハブ局はこのポーリングスケジュールで決められた順に、前に述べたとおり、非同期パケット送信に必要なパラメータを決定し、ポーリングパケットを組み立て、ポーリングパケットを送信する。
ポーリングを受信した全ノードは、図１４のフローチャートに示すような手順をとる。まず、無線バス識別子の確認を行い、自身の属する無線バスのポーリングであることを確認する（Ｓ１２１）。
【０１００】
次に、送信権ノード識別子の確認を行う（Ｓ１２２）。このフィールドが自身のノード識別子であれば、非同期パケットの送信権を得られたことを意味するので、該当ノードは送信を開始する。
この時、非同期パケット送信権種別が、新規トランザクション送信権であれば（Ｓ１２４）、アプリケーションからの送信要求と非同期パケット送信種別、非同期パケット送信先ノード識別子、トランザクションラベルから非同期パケットを構築する（Ｓ１２５）。
【０１０１】
また、非同期パケット送信権種別が、通常トランザクション送信権であれば（Ｓ１２４）、アプリケーションからの送信要求と非同期パケット送信種別、非同期パケット送信先ノード識別子から非同期パケットを構築する（Ｓ１２６）。
その後、変調方式／符号化率フィールドに設定された方式で、パケットを送信する。この時、中継フラグもしくは要中継送信先ノード識別子において中継要となっているノードが送信先である非同期パケットについては、中継ノード識別子に示されたノードに中継を依頼する。
【０１０２】
また、送信権ノード識別子が自身のノード識別子と異なる場合、非同期パケット送信先ノード識別子を確認する（Ｓ１２３）。これが、自身のノード識別子であることを示していれば、非同期パケットの受信を行う（Ｓ１２７）。
この時使用される変調方式・符号化率は、ポーリングパケット内の変調方式・符号化率フィールドを確認すればよい。さらに、中継フラグ、中継ノード識別子と要中継送信先ノード識別子とにより、中継時の受信処理も可能となる。
【０１０３】
同様に、ポーリングを受信した全ノードの手順の別の例を図１７のフローチャートに示す。まず、無線バス識別子の確認を行い、自身の属する無線バスのポーリングであることを確認する（Ｓ１２１）。
次に、送信権ノード識別子の確認を行う（Ｓ１２２）。このフィールドが自身のノード識別子であれば、非同期パケットの送信権を得られたことを意味するので、該当ノードは送信を開始する。
【０１０４】
さらにアプリケーションからの送信要求と非同期パケット送信種別、非同期パケット送信先ノード識別子から非同期パケットを構築する（Ｓ１２６）。
その後、変調方式／符号化率フィールドに設定された方式で、非同期パケットもしくはＡＣＫパケットを送信する。この時、中継フラグもしくは要中継送信先ノード識別子において中継要となっているノードが送信先である非同期パケットについては中継ノード識別子に示されたノードに中継を依頼する。
【０１０５】
また、送信権ノード識別子が自身のノード識別子と異なる場合、非同期パケット送信先ノード識別子を確認する（Ｓ１２３）。これが、自身のノード識別子であることを示していれば、非同期パケットの受信を行う（Ｓ１２７）。
この時使用される変調方式・符号化率は、ポーリングパケット内の変調方式・符号化率フィールドを確認すればよい。さらに、中継フラグ、中継ノード識別子と要中継送信先ノード識別子とにより、中継時の受信処理も可能となる。
【０１０６】
【発明の効果】
本発明によれば、それぞれのノードが、無線バス全体の非同期パケットを監視せずとも、トランザクションラベルを決定することが可能となり、隠れ端末が存在する無線環境下でも、常に直接送受信が可能なハブ局のみと通信を行うことにより、トランザクションを実施することができる。
【０１０７】
また、非同期パケットの送信先と送信元で最適な変調方式・符号化率の種別、及び中継ノードの情報を、新たな通知手順を設けることなく、上記割り当てられたトランザクションラベルと同時に通知することにより、通信手順の簡略化及びユーザトラフィックに対する圧迫を最小限に抑えることができる。
【０１０８】
さらに、操作状態報告パケット内に非同期パケット送信状態の領域を設けることで、ＡＣＫ送信待ちなど、優先順位の高いパケット送信要求に対して、優先的に非同期パケット送信権を与えることができ、伝送帯域が圧迫されている時にも、無線バス全体として効率よく帯域を使用することができる。
【図面の簡単な説明】
【図１】本発明の一実施の形態における無線バスのトポロジーを示す説明図である。
【図２】本発明の一実施の形態における無線フレームフォーマットを示す説明図である。
【図３】本発明の一実施の形態における動作状態報告パケットの内容を示す説明図である。
【図４】本発明の一実施の形態におけるノード０の受信状況の一例を示す説明図である。
【図５】本発明の一実施の形態におけるポーリングパケットの内容を示す説明図である。
【図６】本発明の一実施の形態におけるハブ局の概略構成を示す機能ブロック図である。
【図７】本発明の一実施の形態におけるノードの概略構成を示す機能ブロック図である。
【図８】本発明の一実施の形態におけるハブ局での非同期伝送パラメータの決定手順を示すフローチャートである。
【図９】本発明の一実施の形態におけるトランザクションラベルマップの一例の初期状態を示す説明図である。
【図１０】基本発明の一実施の形態におけるトランザクションラベルマップの一例の変化を示す説明図である。
【図１１】本発明の一実施の形態におけるトランザクションラベルマップの他の例の初期状態を示す説明図である。
【図１２】本発明の一実施の形態におけるトランザクションラベルマップの他の例の変化を示す説明図である。
【図１３】本発明の一実施の形態におけるトポロジーマップの一例を示す説明図である。
【図１４】本発明の一実施の形態におけるポーリングパケットの受信手順を示すフローチャートである。
【図１５】本発明の一実施の形態におけるハブ局の別の概略構成を示す機能ブロック図である。
【図１６】本発明の一実施の形態におけるハブ局での非同期伝送パラメータの別の決定手順を示すフローチャートである。
【図１７】本発明の一実施の形態におけるポーリングパケットの別の受信手順を示すフローチャートである。
【符号の説明】
１  トランザクションラベル割り当て判定部
２  変調方式・符号化率判定部
３  中継判定部
４  動作状態報告パケット判定部
５  ポーリングパケット作成部
６  受信部
７  送信部
８  ポーリング制御部
４１  非同期パケット判定部
４２  非同期パケット作成部
４３  動作状態報告パケット判定部
４４  動作状態報告パケット作成部
４５  受信部
４６  受信電力測定部
４７  送信部
【図１】
0003623453.tif 000002
【図２】
0003623453.tif 000003
【図３】
0003623453.tif 000004
【図４】
0003623453.tif 000005
【図５】
0003623453.tif 000006
【図６】
0003623453.tif 000007
【図７】
0003623453.tif 000008
【図８】
0003623453.tif 000009
【図９】
0003623453.tif 000010
【図１０】
0003623453.tif 000011
【図１１】
0003623453.tif 000012
【図１２】
0003623453.tif 000013
【図１３】
0003623453.tif 000014
【図１４】
0003623453.tif 000015
【図１５】
0003623453.tif 000016
【図１６】
0003623453.tif 000017
【図１７】
0003623453.tif 000018